(57)【要約】【課題】  階床を示す階床表示板を、斬新なデザインで高級感を持たせることが可能とし、しかも視認性機能を高く維持できるエレベータ階床表示装置を提供すること。【解決手段】  少なくとも階床を表す文字が表示された階床表示板１２上にて、指針１３をエレベータ乗りかごの移動に伴って移動させ、前記乗りかごの階床位置を指し示すエレベータ階床表示装置で、前記階床表示板１２は、階床文字を含む表示体が形成された透明な表示層２３と、非駆動時に透明で駆動時には発光する発光素子２４と、化粧板２５とを順次積層構成している。【選択図】図１
2006256754.tif 000002
【特許請求の範囲】
【請求項１】
少なくとも階床を表す文字が表示された階床表示板上にて、指針をエレベータ乗りかごの移動に伴って移動させ、前記乗りかごの階床位置を指し示すエレベータ階床表示装置であって、
前記階床表示板は、階床文字を含む表示体が形成された透明な表示層と、この表示層の背後に設けられ、非駆動時に透明で駆動時には発光する発光素子と、この発光素子の背後に設けられた化粧板とを有することを特徴とするエレベータ階床表示装置。
【請求項２】
少なくとも階床を表す文字が表示された階床表示板上にて、指針をエレベータ乗りかごの移動に伴って移動させ、前記乗りかごの階床位置を指し示すエレベータ階床表示装置であって、
前記階床表示板は、非駆動時に透明で駆動時には発光する発光素子と、この発光素子の背後に設けられ、階床文字を含む表示体が形成された透明な表示層と、この表示層の背後に設けられた化粧板とを有することを特徴とするエレベータ階床表示装置。
【請求項３】
発光素子が有機エレクトロ・ルミネッセンス素子であることを特徴とする請求項１又は請求項２に記載のエレベータ階床表示装置。
【請求項４】
階床表示板の前面側にこの階床表示板とほぼ平行に透過型液晶表示素子を設けると共にこの液晶表示素子の背面側に、前面側からの光は反射し背面側からの光は透過させる半透明反射板を設置したことを特徴とする請求項１乃至請求項３のいずれかに記載のエレベータ階床表示装置。
【請求項５】
階床表示板を、その前面が凹面となるように上下方向に湾曲形成したことを特徴とする請求項１乃至請求項４のいずれかに記載のエレベータ階床表示装置。
【請求項６】
階床表示板を、その前面が凹面となるように左右方向に湾曲形成したことを特徴とする請求項１乃至請求項５のいずれかに記載のエレベータ階床表示装置。
【発明の詳細な説明】
【技術分野】
【０００１】
本発明は、指針をエレベータ乗りかごの移動に伴って移動させ、前記乗りかごの階床位置を指し示すエレベータ階床表示装置に関する。
【背景技術】
【０００２】
一般に、エレベータの乗場には、現在の乗りかごの階床位置を表示する階床表示装置が設けられている。この階床表示装置として、従来は、エレベータが停止している階床をディジタル的にランプ表示するものが多く用いられていたが、最近は、クラッシック調の意匠を好む場合があり、比較的階床数が少ない場合、指針により階床を指し示すアナログ表示も用いられるようになってきた。アナログ表示の場合、指針をモータによって円弧状に駆動するものがある（例えば、特許文献１参照）。
【特許文献１】特開平９−２５５２５１号公報
【発明の開示】
【発明が解決しようとする課題】
【０００３】
このようなアナログ表示であっても、近年は、意匠的に斬新で高級感や装飾性が要求されており、これらの要求に対応できる構造であることが必要である。
【０００４】
本発明の目的は、階床を示す階床表示板を、斬新なデザインや、高級感を持たせることが可能で、しかも視認性を高く維持できるエレベータ階床表示装置を提供することにある。
【課題を解決するための手段】
【０００５】
本発明のエレベータ階床表示装置は、少なくとも階床を表す文字が表示された階床表示板上にて、指針をエレベータ乗りかごの移動に伴って移動させ、前記乗りかごの階床位置を指し示すエレベータ階床表示装置であって、前記階床表示板は、階床文字を含む表示体が形成された透明な表示層と、この表示層の背後に設けられ、非駆動時に透明で駆動時には発光する発光素子と、この発光素子の背後に設けられた化粧板とを有することを特徴とする。
【０００６】
また、本発明では、階床表示板は、非駆動時に透明で駆動時には発光する発光素子と、この発光素子の背後に設けられ、階床文字を含む表示体が形成された透明な表示層と、この表示層の背後に設けられた化粧板とを有する構成としてもよい。
【０００７】
また、本発明では、発光素子として有機エレクトロ・ルミネッセンス素子を用いるとよい。
【０００８】
また、本発明では、階床表示板の前面側にこの階床表示板とほぼ平行に透過型液晶表示素子を設けると共にこの液晶表示素子の背面側に、前面側からの光は反射し背面側からの光は透過させる半透明反射板を設置した構成としてもよい。
【０００９】
さらに、本発明では、階床表示板を、その前面が凹面となるように上下方向または左右方向に湾曲形成してもよい。
【発明の効果】
【００１０】
本発明によれば、階床表示板を発光時と消灯時とで異なる形態の表示ができると共に、各種の色や模様により表示することが可能となり、斬新なデザインや、高級感を持たせることが可能となり、しかも視認性を高く維持することができる。また、発光素子として有機エレクトロ・ルミネッセンス素子を用いると、湾曲形成が容易で、デザイン及び製造上の自由度が向上する。
【発明を実施するための最良の形態】
【００１１】
以下、本発明によるエレベータ階床表示装置の一実施の形態について図面を用いて詳細に説明する。
【００１２】
図１は、この実施の形態における階床表示装置の内部構成を示す断面図、図２はその外観図であり、（ａ）は正面図、（ｂ）は側面図、（ｃ）は上面図である。
【００１３】
これらの図において、１１は外観を成すケースで、その内部正面には階床表示板１２が設けられており、この階床表示板１２に表示された階床を指針１３により指し示すように構成されている。指針１３は針軸１４の先端に一体に取り付けられており、針軸１４は階床表示板１２及び前側ハウジング１５を回転可能に貫通して、前側ハウジング１５の背面に取り付けられたアナログ駆動機構１６に連結している。そして、このアナログ駆動機構１６により、図示しないエレベータ乗りかごの移動に連動して回転駆動される。
【００１４】
前記前側ハウジング１５に対しその背後には後側ハウジング１７が設けられ、さらに、ケース１１の背面開口は裏蓋１８によって塞がれている。上記前側ハウジング１５と後側ハウジング１７との間には、アナログ駆動機構１６を取り付けた回路基板１９が設けられている。これら前側ハウジング１５と後側ハウジング１７とに挟まれ、アナログ駆動機構１６を取り付けた回路基板１９を含む部分を、以下、モジュール２１と呼ぶ。
【００１５】
このモジュール２１内の回路基板１９には、アナログ駆動機構１６の駆動回路の他に、階床表示板１２を構成する後述する発光素子の駆動回路が設けられており、階床表示板１２とは、上側ハウジング１５を貫通するインタコネクタ２０により接続している。
【００１６】
階床表示板１２は、図３で示すように、表面（図示上面）側から順次、透明な表示層２３、発光素子２４、化粧板２５が積層形成されている。表示層２３は、透明なフィルム状のもので、その表面には蛍光剤などで印刷された階床を表す文字（以下、階床文字）を含む表示体２３ａが形成されている。発光素子２４は、透明な表示層２３の背後に設けられ、非駆動時に透明で駆動時（電圧印加状態）には面状に発光する膜状のものである。この発光素子２４としては、例えば、有機ＥＬ（エレクトロ・ルミネッセンス）素子を用いる。化粧板２５は、発光素子２４の背後に設けられ、この発光素子２４の発光色と異なる色・模様の表面を有する。
【００１７】
発光素子２４として用いられる有機ＥＬ素子は、前述のように、電圧を印加していない非駆動時（消灯時）に透明で、電圧を印加した駆動時には面状に発光するもので、図４で示すように、表面（図示上面）側から、透明基板（ＰＥＴ：ポリエチレンテレフタレート）２４ａ、表面透明電極２４ｂ、ホール輸送性有機半導体＋有機蛍光色素層２４ｃ、電子輸送性有機半導体２４ｄ、背面透明電極２４ｅ、透明絶縁コート２４ｆの順で積層し、一体化したものである。そして、表面透明電極２４ｂをアノードとし、背面透明電極２４ｅをカソードとして、これら電極２４ｂ，２４ｅ間に直流電圧を印加すると、アノード側で強く、カソード側で弱い発光が生じる。
【００１８】
ここで、階床表示板１２を含む階床表示装置全体を、図２（ｂ）で示すように、前面が凹面となるように上下方向に湾曲形成する。また、図２（ｃ）で示すように、前面が凹面となるように左右方向にも湾曲形成してもよい。
【００１９】
上記構成において、アナログ駆動機構１６は、図示しないエレベータ乗りかごの昇降に連動して針軸１４を介して指針１３を回動駆動し、階床表示板１２の表面に形成された階床文字２３ａを指示して、前記乗りかごの階床位置を表示する。
【００２０】
このとき、乗場が充分に明るい場合は、階床表示板１２の発光素子２４を消灯しておくので、階床表示板１２の表面には、背面の化粧板２５の表示色又は表示模様が、透明な発光素子２４及び表示層２３を透けて表示される。これに対し、乗場がやや暗い場合は、発光素子２４を所定の発光色で発光させる。このため、その光がバックライトとして表示層２３及び指針１３を裏面から照射するので、明確な視認性を得ることができる。
【００２１】
これらの結果、消灯時は化粧板２５による背景色が、また発光時には発光色による背景色が得られ、２通りの背景色を作り出すことができると共に、暗いところでの階床読取が容易となる。さらに、装飾性を持たせたり、高級感を高めたりすることができる。また、階床文字などの表示体２３ａを蛍光剤により印刷することにより、発光素子２４の消灯時に表示体２３ａを残照させることができ、消灯時における視認性を高めることができる。さらに、発光素子２４である有機ＥＬ素子の電極２４ｂ，２４ｅを文字や絵柄形状に形成すれば、その形状で発行させることができ、意匠性を高めることができる。
【００２２】
また、階床表示装置は、乗場のエレベータドアの上部に設置されることが多いが、その階床表示板１２は、図２（ｂ）で示したように上下方向に湾曲形成すると、下から見上げる状態であっても高い視認性を確保できる。さらに、乗場面積が広い場合、乗客は左右横方向にも散在するが、図２（ｃ）で示したように、左右横方向にも湾曲形成することにより、左右横方向からの視認性を高めることができる。
【００２３】
なお、階床表示板１２の表面層２３と発光素子２４とを別体に構成したが、発光素子２４の表面透明基板２４ａに階床文字などの表示体１３ａを直接印刷し、表示層１３を兼ねるように構成してもよい。
【００２４】
また、図３で示した階床表示板１２における化粧板２５に代って、図５で示すように、発光素子２４を構成する有機ＥＬ素子の背面電極（カソード側）として、金属電極２４ｅ１を用い、化粧板を兼ねるようにしてもよい。このように構成すると、この金属電極２４ｅ１の色が、発光素子２４の消灯時における階床表示板１２の背景色となる。
【００２５】
次に、図６で示す実施の形態を説明する。この実施の形態では、階床表示板１２における透明な表示層２３の積層順を変えている。すなわち、発光素子２４を表面に設置し、表示体を印刷した透明な表示層２３を発光素子と化粧板２５との間に積層し、発光素子２４の光をフロントライトとして用い、表示層２３の表面に形成された階床文字等の表示体や指針１３を照明するように構成している。
【００２６】
この場合も、乗場が充分に明るい場合は、階床表示板１２の発光素子２４を消灯しておくと、階床表示板１２の表面には、背面の化粧板２５の表示色又は表示模様及び表示層２３に形成された階床文字等の表示体が、透明な発光素子２４を透けて表示される。これに対し、乗場がやや暗い場合は、発光素子２４を所定の発光色で発光させる。このため、その光がフロントライトとして表示層２３の表面及び指針１３を直接照射するので、明確な視認性を得ることができる。
【００２７】
すなわち、前述した図３の実施の形態では、バックライトにより背景を浮き上がらせることを優先したものであったが、図６の実施の形態では、フロントライトにより指針１３や階床文字等の表示体を直接照射して明確に表示することを優先したものである。
【００２８】
次に、図７で示す実施の形態を説明する。上述した各実施の形態では、指針１３を、図２で示したように、円弧状に回動させて階床を指示していたが、この実施の形態では、図７で示すように、指針１３を横方向に直線移動させている。すなわち、ケース１１の表面部分には図３又は図４で示した階床表示板１２が設けられており、ケース１１内の奥部には、図示しないが、指針１３を直線状に移動させる周知の移動機構が設けられ、図示しないエレベータ乗りかごの移動に連動して、指針１３を、階床表示板１２に形成したスリット１２ａ内において直線状に移動させるように構成する。
【００２９】
この階床表示板１２も、図３又は図６で示したように、透明な表示層２３、発光素子２４、化粧板２５を積層形成したもので、積層順を図３のように構成すると、発光素子２４の光がバックライトとして機能し、図６のように積層構成すると、発光素子２４の光がフロントライトとして機能する。いずれにしても、消灯時と発光時とで２通りの背景色を作り出すことができ、また、暗いところでの階床読取が可能であるばかりか、装飾性を持たせたり、高級感を高めたりすることができる。
【００３０】
次に、図８で示す実施の形態を説明する。この実施の形態では、発光素子２４を有する階床表示板１２の前方（図示上方）に、この階床表示板１２とほぼ平行に透過型の液晶表示素子２６を配置し、この液晶表示素子２６により、例えば、階床のディジタル表示を併せて行なうように構成したものである。この場合、透過型液晶表示素子２６の背面側に半透明反射板２７を一体に設けている。半透明反射板２７は、前面側からの光は反射し背面側からの光は透過させるものである。
【００３１】
このため、階床表示板１２の発光素子２４を発光させていないときは、半透明反射板２７の反射光により液晶表示素子２６の表示内容を読取ることができる。このとき、指針１３及び階床表示板１２の表面に形成された階床文字等の表示体２３ａを読取ることもできる。また、このときの階床表示板１２の背景は化粧板２５の色又は模様となる。
【００３２】
これに対し、階床表示板１２の発光素子２４を発光させると、階床表示板１２は発光素子２４の発光色となり、その光が液晶表示素子２６の背景色にもなる。このときも、液晶表示素子２６が透過型であるため、その表示内容と共に、指針１３及び階床表示板１２の表面に形成された階床文字等の表示体２３ａも読取ることもできる。
【００３３】
図８の実施の形態では、半透明反射板２７を透過型液晶表示素子２６の背面側に一体に設けているが、図９で示すように、透過型液晶表示素子２６の背面側ではあるが、この液晶表示素子と２６とは別体とし、階床表示板１２を構成する表示層２３と発光素子２４との間に半透明反射板２７を配置してもよい。
【００３４】
このように構成しても、発光素子２４の消灯時は、半透明反射板２７の反射光により、透明な表示層２３上に形成された階床文字等の表示体２３ａを浮き上がらせると共に、液晶表示素子２６の表示内容の読取が可能となる。また、発光素子２４の発光時は、その発光により表示体２３ａ及び液晶表示素子２６の表示内容を後方から照射するので、いずれの場合も、指針１３を含め視認性が向上する。
【図面の簡単な説明】
【００３５】
【図１】本発明によるエレベータ階床表示装置の一実施の形態を示す断面図である。
【図２】同上一実施の形態の外観形状を示しており、（ａ）は正面図、（ｂ）は側面図、（ｃ）は上面図である。
【図３】同上一実施の形態における階床表示板の詳細構成を説明する断面図である。
【図４】同上一実施の形態における発光素子の詳細構成を示す断面図である。
【図５】本発明に用いる階床表示板の別の構成例を示す断面図である。
【図６】本発明における階床表示板を構成する発光素子と表示層との積層順を変えた構成を示す断面図である。
【図７】本発明の、指針をスライド式にした実施の形態を示す正面図である。
【図８】本発明の、液層表示素子を加えた実施の形態を示す断面図である。
【図９】本発明の、液層表示素子を加えた別の実施の形態を示す断面図である。
【符号の説明】
【００３６】
１２    階床表示板
１３    指針
２３    透明な表示層
２３ａ    表示体
２４    発光素子
２５    化粧板
２６    液晶表示素子
２７    半透明反射板
【図１】
2006256754.tif 000003
【図２】
2006256754.tif 000004
【図３】
2006256754.tif 000005
【図４】
2006256754.tif 000006
【図５】
2006256754.tif 000007
【図６】
2006256754.tif 000008
【図７】
2006256754.tif 000009
【図８】
2006256754.tif 000010
【図９】
2006256754.tif 000011